(57)【要約】【解決手段】口金６において中子の両側面１６に対し隣接する両側面２６，２７には、それぞれ、刃板３の両側面１２と中子の両側面１６との境界線９に対し中子の両側面１６側へ１０ｍｍ以下の範囲で離間する麓線２８，２９から中子の端縁側へ延びる指掛面３０，３１を形成し、これらの指掛面３０，３１は中子の側面１６との境界縁部３０ａ，３１ａから中子の端縁側へ離間するに従い中子の側面１６から次第に離間するように傾斜している。口金において刃板の両側面に対し隣接する両側面には、それぞれ、刃板の両側面と中子の両側面との境界線、または、その境界線に対し刃板の両側面側へ離間する麓線から中子側へ延びる指掛面を形成し、これらの指掛面は刃板の側面との境界縁部から中子側へ離間するに従い刃板及び中子の側面から次第に離間するように傾斜している。【効果】利用者が包丁等の柄付き刃物を所定配置の各指で握り易くなる。【選択図】図７
2006254967.tif 000002
【特許請求の範囲】
【請求項１】
刃板の先端にある刃先に対し反対側になる刃板の基端から中子を延設した刀身と、この中子を挿着した口金を有する柄とを備えた柄付き刃物において、この刀身は、刃板の腹側で刃先から刃板の基端にある顎部まで延びる刃縁と、この刃縁に対し刃板の顎部で交差して刃板の基端にある中子との境界線まで連続する顎縁と、この顎縁に対し中子の腹側で段差状をなして連続する腹縁と、刃板の背側で刃先から中子との境界線まで延びる背縁と、この刃板の背縁に対し中子の背側で連続する背縁と、この中子で腹縁と背縁との間にある端縁と、この刃板で刃縁と顎縁と背縁と中子との境界線とにより囲まれる両側面と、この中子で刃板の基端にある刃板との境界線と腹縁と背縁と端縁とにより囲まれる両側面とを有し、
前記口金において前記刃板の両側面に対し隣接する両側面には、それぞれ、刃板の両側面と中子の両側面との境界線、または、その境界線に対し刃板の両側面側へ離間する麓線から中子側へ延びる指掛面を形成し、これらの指掛面は刃板の側面との境界縁部から中子側へ離間するに従い刃板及び中子の側面から次第に離間するように傾斜している
ことを特徴とする柄付き刃物。
【請求項２】
刃板の先端にある刃先に対し反対側になる刃板の基端から中子を延設した刀身と、この中子を挿着した口金を有する柄とを備えた柄付き刃物において、この刀身は、刃板の腹側で刃先から刃板の基端にある顎部まで延びる刃縁と、この刃縁に対し刃板の顎部で交差して刃板の基端にある中子との境界線まで連続する顎縁と、この顎縁に対し中子の腹側で段差状をなして連続する腹縁と、刃板の背側で刃先から中子との境界線まで延びる背縁と、この刃板の背縁に対し中子の背側で連続する背縁と、この中子で腹縁と背縁との間にある端縁と、この刃板で刃縁と顎縁と背縁と中子との境界線とにより囲まれる両側面と、この中子で刃板の基端にある刃板との境界線と腹縁と背縁と端縁とにより囲まれる両側面とを有し、
前記口金において前記中子の両側面に対し隣接する両側面には、それぞれ、刃板の両側面と中子の両側面との境界線に対し中子の両側面側へ１０ｍｍ以下の範囲で離間する麓線から中子の端縁側へ延びる指掛面を形成し、これらの指掛面は中子の側面との境界縁部から中子の端縁側へ離間するに従い中子の側面から次第に離間するように傾斜している
ことを特徴とする柄付き刃物。
【請求項３】
前記口金の両指掛面のうち、両方が共に凹状に凹んで傾斜しているか、または、一方が凹状に凹んで傾斜しているとともに他方が凸状に膨らんで傾斜しているか、または、両方が共に凸状に膨らんで傾斜していることを特徴とする請求項１または請求項２に記載の柄付き刃物。
【請求項４】
前記柄は頭部側にある前記口金から尻部側へ延びる把持部を有し、この口金の両側面において、両指掛面が共に凹状に凹んで傾斜しているとともに、この両指掛面と前記把持部との間には両指掛面から連続する指当面を設けていることを特徴とする請求項１または請求項２に記載の柄付き刃物。
【請求項５】
前記把持部において前記口金の両指当面に隣接する両側面のうち一方の側面には柄の頭部側と尻部側とを結ぶ長手方向に沿って延びる稜線を設け、前記口金の両指当面のうち一方の指当面にはこの把持部の側面の稜線から連続する稜線を設けていることを特徴とする請求項４に記載の柄付き刃物。
【請求項６】
前記口金の指当面の稜線は、前記把持部の側面の稜線から連続して柄の長手方向に沿って延びる第一の稜線と、この第一の稜線からこの口金の指掛面に向けて二股状に延びる第二の稜線とを有していることを特徴とする請求項５に記載の柄付き刃物。
【請求項７】
前記口金の両側面の指掛面で柄の長手方向に沿った最大寸法については、この口金の両側面のうち一方の側面における指掛面のものが他方の側面における指掛面のものよりも大きくなっているとともに、前記口金の両側面の指当面で柄の長手方向に沿った最小寸法については、この口金の両側面のうち前記一方の側面における指当面のものが前記他方の側面における指当面のものより小さくなっていることを特徴とする請求項４または請求項５または請求項６に記載の柄付き刃物。
【請求項８】
前記口金の両指掛面はその境界縁部で刃板の側面または中子の側面に対し面一で連続していることを特徴とする請求項１から請求項７のうちいずれかの請求項に記載の柄付き刃物。
【発明の詳細な説明】
【技術分野】
【０００１】
本発明は刀身の中子を挿着した口金を柄に設けた包丁等の柄付き刃物に関するものである。
【背景技術】
【０００２】
下記特許文献１では、特にその図１１，１２に示すように、刀身において刃板の先端にある刃先に対し反対側になる刃板の基端から延設された中子が柄の口金にその端面部から挿着され、刃板の腹側で刃先から刃板の基端にある顎部まで刃縁が延設されているとともに、刃縁に対し刃板の顎部で交差して刃板の基端にある中子との境界線まで顎縁が連続している。顎縁に対し中子の腹側で段差状をなして連続する腹縁と、刃板の背側で刃先から中子との境界線まで延びる背縁に対し中子の背側で連続する背縁との間で、中子の両側面が露出している。
【特許文献１】特開平５−２１２１６２号公報
【発明の開示】
【発明が解決しようとする課題】
【０００３】
ところで、利用者は、包丁により皮むきなどの細かい手作業をする際に必要に応じて、口金及び把持部の背側を右手の平に当てがうとともに親指と人差し指とが口金の端面部に面した状態で親指と人差し指とにより顎部を挟持するとともに中指と薬指と小指とを口金及び把持部の腹側に当てがうように、各指を配置して包丁を握る。
【０００４】
しかし、口金の端面部から露出する中子の両側面の長さが大き過ぎたり、口金の端面部が角張っていたりすると、親指と人差し指とにより顎部を挟持する際、包丁が握りにくくなる。
【０００５】
この発明は、利用者が包丁等の柄付き刃物を前述した各指の配置で握り易くすることを目的としている。
【課題を解決するための手段】
【０００６】
後記実施形態の図面（図１〜１８）の符号を援用して本発明を説明する。
請求項１〜２の発明にかかる柄付き刃物は、下記の共通構成を有している。
この柄付き刃物１は、刃板３の先端にある刃先４に対し反対側になる刃板３の基端から中子５を延設した刀身２と、この中子５を挿着した口金６を有する柄２３とを備えている。この刀身２は、刃板３の腹側で刃先４から刃板３の基端にある顎部７まで延びる刃縁８と、この刃縁８に対し刃板３の顎部７で交差して刃板３の基端にある中子５との境界線９まで連続する顎縁１０と、この顎縁１０に対し中子５の腹側で段差状をなして連続する腹縁１３と、刃板３の背側で刃先４から中子５との境界線９まで延びる背縁１１と、この刃板３の背縁１１に対し中子５の背側で連続する背縁１４と、この中子５で腹縁１３と背縁１４との間にある端縁１５と、この刃板３で刃縁８と顎縁１０と背縁１１と中子５との境界線９とにより囲まれる両側面１２と、この中子５で刃板３の基端にある刃板３との境界線９と腹縁１３と背縁１４と端縁１５とにより囲まれる両側面１６とを有している。
【０００７】
さらに、請求項１の発明においては、図１1，１２，１３または図１４，１５，１６に示すように、前記口金６において前記刃板３の両側面１２に対し隣接する両側面２６，２７には、それぞれ、刃板３の両側面１２と中子５の両側面１６との境界線９、または、その境界線９に対し刃板３の両側面１２側へ離間する麓線４６，４７から中子５側へ延びる指掛面３０，３１を形成し、これらの指掛面３０，３１は刃板３の側面１２との境界縁部３０ａ，３１ａから中子５側へ離間するに従い刃板３及び中子５の側面１２，１６から次第に離間するように傾斜している。ちなみに、前記麓線４６，４７は境界線９に対し刃板３の両側面１２側へ１０ｍｍ以下の範囲で離間している。
【０００８】
さらに、請求項２の発明においては、図６，７，８，９，１０に示すように、前記口金６において前記中子５の両側面１６に対し隣接する両側面２６，２７には、それぞれ、刃板３の両側面１２と中子５の両側面１６との境界線９に対し中子５の両側面１６側へ１０ｍｍ以下の範囲で離間する麓線２８，２９から中子５の端縁１５側へ延びる指掛面３０，３１を形成し、これらの指掛面３０，３１は中子５の側面１６との境界縁部３０ａ，３１ａから中子５の端縁１５側へ離間するに従い中子５の側面１６から次第に離間するように傾斜している。
【０００９】
請求項１または請求項２の発明を前提とする請求項３の発明においては、前記口金６の両指掛面３０，３１のうち、図６，７，８や図１１や図１４に示すように両方（指掛面３０，３１）が共に凹状に凹んで傾斜しているか、または、図９や図１２や図１５に示すように一方（指掛面３１）が凹状に凹んで傾斜しているとともに他方（指掛面３０）が凸状に膨らんで傾斜しているか、または、図１０や図１３や図１６に示すように両方（指掛面３０，３１）が共に凸状に膨らんで傾斜している。
【００１０】
請求項１〜３の発明では、利用者が口金６及び柄２３の背側を手の平に当てがい親指４１が口金６の指掛面３１に面するとともに人差し指４２が口金６の指掛面３０に面した状態で親指４１と人差し指４２とにより顎部７を挟持して刃物１を握る場合、両指掛面３０，３１が傾斜しているために親指４１と人差し指４２とを両指掛面３０，３１に当てがい易くなるとともに、その両指掛面３０，３１が刃板３の顎部７に対し適切な距離Ｓにあるために親指４１と人差し指４２とにより顎部７を挟持し易くなる。
【００１１】
請求項１または請求項２の発明を前提とする請求項４の発明において、前記柄２３は頭部側にある前記口金６から尻部側へ延びる把持部２４を有し、図６，７，８や図１１や図１４に示すように、この口金６の両側面２６，２７で両指掛面３０，３１が共に凹状に凹んで傾斜しているとともに、この両指掛面３０，３１と前記把持部２４との間には両指掛面３０，３１から連続する指当面３２，３３を設けている。
【００１２】
請求項４の発明では、中指４３と薬指４４と小指４５とを口金６の指当面３２，３３及び柄２３の把持部２４に当てがって刃物１の把持状態を安定させることができる。
請求項４の発明を前提とする請求項５の発明において、前記把持部２４で前記口金６の両指当面３２，３３に隣接する両側面３６，３７のうち一方の側面３６には、図６，７，８や図１１や図１４に示すように、柄２３の頭部側と尻部側とを結ぶ長手方向Ｘに沿って延びる稜線３８を設け、前記口金６の両指当面３２，３３のうち一方の指当面３２にはこの把持部２４の側面３６の稜線３８から連続する稜線３９を設けている。
【００１３】
請求項５の発明を前提とする請求項６の発明において、前記口金６の指当面３２，３３の稜線３９は、図６，７，８や図１１や図１４に示すように、前記把持部２４の側面３６の稜線３８から連続して柄２３の長手方向Ｘに沿って延びる第一の稜線３９ａと、この第一の稜線３９ａからこの口金６の指掛面３０に向けて二股状に延びる第二の稜線３９ｂ，３９ｃとを有している。
【００１４】
請求項５〜６の発明では、これらの稜線３８及び稜線３９（各稜線３９ａ，３９ｂ，３９ｃ）が手の平や親指４１以外の各指（人差し指４２や中指４３や薬指４４や小指４５）の柔らかい部分にくい込み易くなって刃物１の把持状態を安定させることができる。
【００１５】
請求項４または請求項５または請求項６の発明を前提とする請求項７の発明（図６，７参照）において、前記口金６の両側面２６，２７の指掛面３０，３１で柄２３の長手方向Ｘに沿った最大寸法Ｌ３０，Ｌ３１については、この口金６の両側面２６，２７のうち一方の側面２７における指掛面３１の最大寸法Ｌ３１が他方の側面２６における指掛面３０の最大寸法Ｌ３０よりも大きくなっているとともに、前記口金６の両側面２６，２７の指当面３２，３３で柄２３の長手方向Ｘに沿った最小寸法Ｌ３２，Ｌ３３については、この口金６の両側面２６，７のうち前記一方の側面２７における指当面３３の最小寸法Ｌ３３が前記他方の側面２６における指当面３２の最小寸法Ｌ３２より小さくなっている。
【００１６】
請求項７の発明では、親指４１を指掛面３１に当てがい易くなるとともに人差し指４２を指掛面３０に当てがい易くなる。
請求項１から請求項７のうちいずれかの請求項の発明を前提とする請求項８の発明において、前記口金６の両指掛面３０，３１は、図６，７，８，９，１０または図１1，１２，１３または図１４，１５，１６に示すように、その境界縁部３０ａ，３１ａで刃板３の側面１２または中子５の側面１６に対し面一で連続している。
【００１７】
請求項８の発明では、親指４１と人差し指４２とを両指掛面３０，３１に当てがい易くなる。
【発明の効果】
【００１８】
本発明は、利用者が包丁等の柄付き刃物１を所定配置の各指４１，４２，４３，４４，４５で握り易くなる。
【発明を実施するための最良の形態】
【００１９】
まず、本発明の第１実施形態にかかる刃物について図１〜７を参照して説明する。
図６に示す包丁である刃物１を製造する過程を概説する。
まず、母材から刀身素材を形取り、その刀身素材を加工して図１（ａ）に示す刀身２とする。この刀身２においては、三層鋼からなる刃板３の先端にある刃先４に対し反対側になる刃板３の基端から中子５が延設されている。また、図１（ａ）に示すように、この中子５を挿着する口金６を成形する。この口金６はＳＵＳ４３０からなる。なお、この中子５を口金６に挿着する際にそれらの間でがた付きが生じないように、刀身素材の加工時に中子５を母材の厚みのまま残す。
【００２０】
前記刀身２の刃板３は、刃板３の腹側で刃先４から刃板３の基端にある顎部７まで延びる刃縁８と、この刃縁８に対し刃板３の顎部７で交差して刃板３の基端にある中子５との境界線９まで連続する顎縁１０と、刃板３の背側で刃先４から中子５との境界線９まで延びる背縁１１と、この刃板３で刃縁８と顎縁１０と背縁１１と中子５との境界線９とにより囲まれる両側面１２とを有している。この刀身２の中子５は、この顎縁１０に対し中子５の腹側で段差状をなして連続する腹縁１３と、この刃板３の背縁１１に対し中子５の背側で連続する背縁１４と、この中子５で腹縁１３と背縁１４との間にある端縁１５と、この中子５で刃板３の基端にある刃板３との境界線９と腹縁１３と背縁１４と端縁１５とにより囲まれる両側面１６とを有している。この口金６においては、図１（ｂ）及び図３（ｂ）に示すように、先端部側で中子挿着溝１７が基端部側へ向けて形成され、その中子挿着溝１７を挟む両腕部１８，１９が二股状に形成されているとともに、この両腕部１８，１９の先端部にはそれぞれ傾斜部２０，２１が形成されている。
【００２１】
次に、図２に示すように、前記口金６の中子挿着溝１７に前記刀身２の中子５を挿入する。
次に、図３（ａ）（ｂ）に示すように、前記口金６の両腕部１８，１９における傾斜部２０，２１の先端部と前記中子５及び刃板３とが互いに接触する部分を溶接する。
【００２２】
次に、図４に示すように、上記の溶接により生じた中子５と口金６との連結部２２においてその溶接部分の外側を削り取る。
次に、図５に示すように、中子５と口金６との連結部２２や両腕部１８，１９の傾斜部２０，２１を含む口金６の表面全体を研削及び研磨する。その後、刀身２の露出表面に対しＴｉＣＮ（炭ちっ化チタン）により黒色のコーティングを施す。
【００２３】
次に、図６（ａ）に示すように、柄２３を刀身２に取着する。この柄２３においては、頭部側にある口金６に把持部２４を連結して尻部側へ延設するとともにこの把持部２４の尻部に尻金２５を連結する。この把持部２４は積層強化木からなり、この尻金２５はＳＵＳ４３０からなる。その後、刀身２の刃縁８に仕上げ刃付けを行う。さらに、刀身２において前記黒色コーティング面に対しレーザー照射処理を施して型番や品質管理番号などを表示する。柄２３の頭部側と尻部側とを結ぶ長手方向Ｘに沿った口金６の長さは約２０ｍｍであり、同じく尻金２５の長さは約１２ｍｍであり、この口金６と尻金２５とにより柄２３の全体重量を大きくして刀身２との重量バランスを良くしている。
【００２４】
このようにして製造された刃物１においては、図７（ａ）（ｂ）（ｃ）に示すように、口金６で中子５の両側面１６に対し隣接する両側面２６，２７には、それぞれ、刃板３の両
側面１２と中子５の両側面１６との境界線９に対し中子５の両側面１６側へ距離Ｓだけ離間する麓線２８，２９から中子５の端縁１５側へ延びる指掛面３０，３１が形成されている。この距離Ｓは、１０ｍｍ以下の範囲であり、好ましくは０．５ｍｍ以上６ｍｍ以下の範囲、さらに好ましくは１ｍｍ以上３ｍｍ以下に設定することができる。これらの指掛面３０，３１は、共に、中子５の側面１６との境界縁部（麓線２８，２９上の縁部３０ａ，３１ａ）から中子５の端縁１５側へ離間するに従い中子５の側面１６から次第に離間するように凹状に凹んで傾斜し、それらの境界縁部３０ａ，３１ａで中子５の側面１６に対し面一で連続している。また、この口金６の両側面２６，２７にはこの両指掛面３０，３１と前記把持部２４との間で両指掛面３０，３１から連続する指当面３２，３３が形成されている。この両指当面３２，３３は、前記刃板３の背縁１１と把持部２４との間で延びる口金６の腹面３４と背面３５とにより互いに連続している。
【００２５】
前記口金６の両側面２６，２７の指掛面３０，３１で柄２３の頭部側と尻部側とを結ぶ長手方向Ｘに沿った最大寸法Ｌ３０，Ｌ３１については、この口金６の両側面２６，２７のうち一方の側面２７における指掛面３１の最大寸法Ｌ３１が他方の側面２６における指掛面３０の最大寸法Ｌ３０よりも大きくなっている。前記口金６の両側面２６，２７の指当面３２，３３で柄２３の長手方向Ｘに沿った最小寸法Ｌ３２，Ｌ３３については、この口金６の両側面２６，２７のうち前記一方の側面２７における指当面３３の最小寸法Ｌ３３が前記他方の側面２６における指当面３２の最小寸法Ｌ３２より小さくなっている。また、前記口金６の両側面２６，２７の指掛面３０，３１及び指当面３２，３３で刃板３の厚み方向Ｙの中心線Ｃに対する最大寸法Ｗ３０，Ｗ３１，Ｗ３２，Ｗ３３については、一方の側面２７における指掛面３１の最大寸法Ｗ３１が他方の側面２６における指掛面３０の最大寸法Ｗ３０よりも小さくなっているとともに、一方の側面２７における指当面３３の最大寸法Ｗ３３が他方の側面２６における指当面３２の最大寸法Ｗ３２よりも小さくなっている。さらに、一方の側面２７において指当面３３の最大寸法Ｗ３３が指掛面３１の最大寸法Ｗ３１よりも大きくなっているとともに、他方の側面２６において指当面３２の最大寸法Ｗ３２が指掛面３０の最大寸法Ｗ３０よりも大きくなっている。
【００２６】
図６，７に示すように、前記柄２３の把持部２４及び尻金２５において前記口金６の両指当面３２，３３に隣接する両側面３６，３７のうち一方の側面３６には、柄２３の長手方向Ｘに沿って延びる稜線３８が把持部２４及び尻金２５の長手方向Ｘ全体にわたり形成されている。前記口金６の両指当面３２，３３のうち指当面３２には前記把持部２４の側面３６の稜線３８から連続する稜線３９が形成されている。この口金６の指当面３２の稜線３９は、前記把持部２４の側面３６の稜線３８から連続して柄２３の長手方向Ｘに沿って延びる第一の稜線３９ａと、この第一の稜線３９ａからこの口金６の指掛面３０に向けて二股状に延びる第二の稜線３９ｂ，３９ｃとを有している。この口金６の指当面３２にはこの第二の稜線３９ｂ，３９ｃと指掛面３０との間で前記刃板３の厚み方向Ｙの中心線Ｃに対し傾斜する区画面４０が形成されている。なお、これらの稜線３８，３９については若干の丸みを持たせてもよい。
【００２７】
図６（ｂ）に示すように、利用者は、包丁により皮むきなどの細かい手作業をする際に必要に応じて、口金６及び把持部２４の背側を右手の平に当てがい、親指４１が口金６の指掛面３１に面するとともに人差し指４２が口金６の指掛面３０に面し、中指４３が指当面３２の区画面４０に面した状態で、親指４１と人差し指４２とにより顎部７を挟持するとともに、中指４３を口金６の腹側に当てがい、薬指４４と小指４５とを把持部２４の腹側に当てがうように、各指４１，４２，４３，４４，４５を配置して刃物１を握る。
【００２８】
図８に示すように、本発明の第１実施形態の別例にかかる刃物１については、第１実施形態（図７参照）と比較して、稜線３８，３９が形成されていない点と、指掛面３１の最大寸法Ｌ３１と指掛面３０の最大寸法Ｌ３０とが互いに等しくなっているとともに、指当面３３の最小寸法Ｌ３３と指当面３２の最小寸法Ｌ３２とが互いに等しくなっている点で、第１実施形態と異なる。
【００２９】
図９に示すように、本発明の第２実施形態にかかる刃物１については、第１実施形態（図７参照）と比較して、稜線３８，３９が形成されていない点と、口金６の両指掛面３０，３１のうち指掛面３１が凹状に凹んで傾斜しているとともに指掛面３０が凸状に膨らんで傾斜している点で、第１実施形態と異なる。
【００３０】
図１０に示すように、本発明の第３実施形態にかかる刃物１については、第１実施形態（図７参照）と比較して、稜線３８，３９が形成されていない点と、口金６の両指掛面３０，３１が共に凸状に膨らんで傾斜している点で、第１実施形態と異なる。
【００３１】
図１１に示すように本発明の第４実施形態にかかる刃物１については第１実施形態の別例（図８参照）と比較して、また、図１２に示すように本発明の第５実施形態にかかる刃物１については第２実施形態（図９参照）と比較して、また、図１３に示すように本発明の第６実施形態にかかる刃物１については第３実施形態（図１０参照）と比較して、それぞれ、下記の点で異なる。
【００３２】
口金６の両指掛面３０，３１は、刃板３の両側面１２と中子５の両側面１６との境界線９（距離Ｓ＝０ｍｍ）から中子５側へ延び、刃板３の側面１２との境界縁部（境界線９上の縁部３０ａ，３１ａ）から中子５側へ離間するに従い刃板３及び中子５の側面１２，１６から次第に離間するように傾斜している。
【００３３】
図１４に示すように本発明の第７実施形態にかかる刃物１については第１実施形態の別例（図８参照）と比較して、また、図１５に示すように本発明の第８実施形態にかかる刃物１については第２実施形態（図９参照）と比較して、また、図１６に示すように本発明の第９実施形態にかかる刃物１については第３実施形態（図１０参照）と比較して、それぞれ、下記の点で異なる。
【００３４】
口金６の両指掛面３０，３１は、刃板３の両側面１２と中子５の両側面１６との境界線９に対し刃板３の両側面１２側へ距離Ｓだけ離間する麓線４６，４７から中子５側へ延び、刃板３の側面１２との境界縁部（麓線４６，４７上の縁部３０ａ，３１ａ）から中子５側へ離間するに従い刃板３及び中子５の側面１２，１６から次第に離間するように傾斜している。この距離Ｓは、１０ｍｍ以下の範囲であり、好ましくは０．５ｍｍ以上８ｍｍ以下の範囲、さらに好ましくは１ｍｍ以上６ｍｍ以下に設定することができる。
【００３５】
図１７に示すように本発明の第１０実施形態では、図６（ａ）に示す第１実施形態の刃物１において背縁１１に保護部材４８が着脱可能に取り付けられ、砥石４９によりこの刃物１の刃縁８を研ぐ際に砥石４９に面する保護部材４８により、刃物１の側面１２が砥石４９に接触しないようにしてＴｉＣＮコーティングの剥離を防止している。
【００３６】
図１８に示すように本発明の第１１実施形態では、図６（ａ）に示す第１実施形態の刃物１の刃板３を収容するケース５０内にその刃板３を吸着する磁石５１が嵌め込まれている。
【図面の簡単な説明】
【００３７】
【図１】（ａ）は第１実施形態にかかる柄付き刃物の製造過程において刀身と口金とを互いに分解して示す正面図であり、（ｂ）はその口金を示す斜視図である。
【図２】図１（ａ）で刀身の中子を口金に挿入した状態を示す正面図である。
【図３】（ａ）は図２で刀身の中子と口金とを互いに溶接した連結状態を示す正面図であり、（ｂ）はその中子と口金との連結部分を平面側から見た部分断面図である。
【図４】図３（ａ）で示す中子と口金との連結部分において溶接部分を削り取った状態を示す正面図である。
【図５】図４で示す中子と口金との連結部分を研削及び研磨した状態を示す正面図である。
【図６】（ａ）は図５で示す口金に把持部を連結した柄を備えた刃物を示す正面図であり、（ｂ）は同じく背面図であり、（ｃ）はこの刃物の右側面図であり、（ｄ）はこの刃物の左側面図である。
【図７】（ａ）は図６（ａ）に示す刃物において中子と口金との連結部分を示す部分正面図であり、（ｂ）は（ａ）の連結部分を示す部分平面図であり、（ｃ）は（ａ）の連結部分を示す部分背面図である。
【図８】（ａ）は第１実施形態の別例にかかる刃物において中子と口金との連結部分を示す部分正面図であり、（ｂ）は（ａ）の連結部分を示す部分平面図であり、（ｃ）は（ａ）の連結部分を示す部分背面図である。
【図９】（ａ）は第２実施形態にかかる刃物において中子と口金との連結部分を示す部分正面図であり、（ｂ）は（ａ）の連結部分を示す部分平面図であり、（ｃ）は（ａ）の連結部分を示す部分背面図である。
【図１０】（ａ）は第３実施形態にかかる刃物において中子と口金との連結部分を示す部分正面図であり、（ｂ）は（ａ）の連結部分を示す部分平面図であり、（ｃ）は（ａ）の連結部分を示す部分背面図である。
【図１１】（ａ）は第４実施形態にかかる刃物において中子と口金との連結部分を示す部分正面図であり、（ｂ）は（ａ）の連結部分を示す部分平面図であり、（ｃ）は（ａ）の連結部分を示す部分背面図である。
【図１２】（ａ）は第５実施形態にかかる刃物において中子と口金との連結部分を示す部分正面図であり、（ｂ）は（ａ）の連結部分を示す部分平面図であり、（ｃ）は（ａ）の連結部分を示す部分背面図である。
【図１３】（ａ）は第６実施形態にかかる刃物において中子と口金との連結部分を示す部分正面図であり、（ｂ）は（ａ）の連結部分を示す部分平面図であり、（ｃ）は（ａ）の連結部分を示す部分背面図である。
【図１４】（ａ）は第７実施形態にかかる刃物において中子と口金との連結部分を示す部分正面図であり、（ｂ）は（ａ）の連結部分を示す部分平面図であり、（ｃ）は（ａ）の連結部分を示す部分背面図である。
【図１５】（ａ）は第８実施形態にかかる刃物において中子と口金との連結部分を示す部分正面図であり、（ｂ）は（ａ）の連結部分を示す部分平面図であり、（ｃ）は（ａ）の連結部分を示す部分背面図である。
【図１６】（ａ）は第９実施形態にかかる刃物において中子と口金との連結部分を示す部分正面図であり、（ｂ）は（ａ）の連結部分を示す部分平面図であり、（ｃ）は（ａ）の連結部分を示す部分背面図である。
【図１７】（ａ）は第１０実施形態にかかる刃物において砥石用背部材を取り付けた状態を示す正面図であり、（ｂ）はその刃物を砥石により研ぐ状態を示す説明図である。
【図１８】（ａ）は第１１実施形態にかかるケース付き刃物を示す正面図であり、（ｂ）はその刃物を平面側から見た部分断面図である。
【符号の説明】
【００３８】
１…刃物、２…刀身、３…刃板、４…刃先、５…中子、６…口金、７…刃板の顎部、８…刃板の刃縁、９…刃板と中子との間の境界線、１０…刃板の顎縁、１１…刃板の背縁、１２…刃板の側面、１３…中子の腹縁、１４…中子の背縁、１５…中子の端縁、１６…中子の側面、２３…柄、２４…把持部、２６，２７…口金の側面、２８，２９…中子側の麓線、３０，３１…口金の側面の指掛面、３０ａ，３１ａ…境界縁部、３２，３３…口金の側面の指当面、３６，３７…把持部の側面、３８…把持部の側面の稜線、３９…口金の指当面の稜線、３９ａ…第一の稜線、３９ｂ，３９ｃ…第二の稜線、４６，４７…刃板側の麓線、Ｓ…境界線から麓線までの距離、Ｘ…長手方向、Ｌ３０，Ｌ３１…指掛面の長手方向最大寸法、Ｌ３２，Ｌ３３…指当面の長手方向最小寸法。
【図１】
2006254967.tif 000003
【図２】
2006254967.tif 000004
【図３】
2006254967.tif 000005
【図４】
2006254967.tif 000006
【図５】
2006254967.tif 000007
【図６】
2006254967.tif 000008
【図７】
2006254967.tif 000009
【図８】
2006254967.tif 000010
【図９】
2006254967.tif 000011
【図１０】
2006254967.tif 000012
【図１１】
2006254967.tif 000013
【図１２】
2006254967.tif 000014
【図１３】
2006254967.tif 000015
【図１４】
2006254967.tif 000016
【図１５】
2006254967.tif 000017
【図１６】
2006254967.tif 000018
【図１７】
2006254967.tif 000019
【図１８】
2006254967.tif 000020